(57)【要約】      （修正有）【課題】開閉体の閉鎖時に、風等により開閉体の幅方向端部側がばたつくの抑制する開閉装置を提供する。【解決手段】空間を仕切るように閉鎖動作する開閉体１０と、開閉体１０を閉鎖方向へ案内するガイドレール２０とを備えた開閉装置１は、閉鎖状態の開閉体１０の幅方向の両端部側を厚さ方向の一方側から押圧してガイドレール２０に押し付ける開閉体押圧装置５０を左右のガイドレール２０に設けている。開閉体押圧装置５０は、開閉体１０を押圧する押圧部を離間位置と押圧位置との間で移動させる操作部５１ｃを有する。【選択図】図１
2020094385.tif 000002
【特許請求の範囲】
【請求項１】
空間を仕切るように閉鎖動作する開閉体と、前記開閉体を閉鎖方向へ案内するガイドレールとを備えた開閉装置において、
閉鎖状態の前記開閉体を厚さ方向の一方側から押圧して前記ガイドレールに押し付ける開閉体押圧装置が設けられていることを特徴とする開閉装置。
【請求項２】
前記開閉体押圧装置が、前記ガイドレールに設けられていることを特徴とする請求項１記載の開閉装置。
【請求項３】
前記開閉体押圧装置は、閉鎖状態の前記開閉体から厚さ方向へ離れた離間位置と同開閉体を厚さ方向の一方側から押圧した押圧位置との間で移動する押圧部と、前記押圧部を前記押圧位置と前記離間位置との間で移動するように支持する支持部とを具備することを特徴とする請求項１又は２記載の開閉装置。
【請求項４】
前記開閉体押圧装置は、前記押圧部を押圧方向へ移動させるために手動操作される操作部を具備していることを特徴とする請求項３記載の開閉装置。
【請求項５】
前記開閉体押圧装置は、前記開閉体が閉鎖する際の動作に、前記押圧部の押圧方向への移動を連動させていることを特徴とする請求項３又は４記載の開閉装置。
【請求項６】
前記開閉体押圧装置は、枢支部を支点にした一端側が前記開閉体により閉鎖方向へ押動されることで他端側を開放方向へ回動する回動部材を備え、前記他端側の開放方向への回動により前記押圧部を押圧方向へ移動させることを特徴とする請求項５記載の開閉装置。
【発明の詳細な説明】
【技術分野】
【０００１】
本発明は、オーバーヘッドドアを含むシャッター装置、門扉、ゲート、スライディングウォール装置等、開閉体をガイドレールによって閉鎖方向へ案内するようにした開閉装置に関し、特にシャッター装置として好適な開閉装置に関するものである。
【背景技術】
【０００２】
従来、この種の発明には、例えば特許文献１に記載されるように、空間を仕切るように閉鎖動作する開閉体と、この開閉体の幅方向端部側を閉鎖方向へ案内するガイドレールと、前記開閉体を上方側で収納する収納ケースと、前記収納ケースに一端側を枢支するとともに他端側を開閉体の下端側に枢支しその全長を伸縮するようにした棒状の撓み抑制部材とを備えたシャッター装置がある。
このシャッター装置によれば、開閉体を全閉した際に、棒状の撓み抑制部材が開閉体の表面に近接するように位置する。このため、開閉体は、強風を受ける等して撓んだ際に撓み抑制部材に当接し、その撓みが抑制される。
【先行技術文献】
【特許文献】
【０００３】
【特許文献１】特開２００６−２９９５２２公報
【発明の概要】
【発明が解決しようとする課題】
【０００４】
しかしながら、前記従来技術では、開閉体の主に中央寄りの撓みを撓み抑制部材により抑制するようにしている。このため、閉鎖状態の開閉体の幅方向端部側が、風に煽られる等してばたつくと、ガイドレールに当接して騒音を発生したり、開閉体を構成するスラット間のきしみ音を発生したりするおそれがある。また、その当接箇所や摺接箇所において摩耗や損傷を生じる可能性もある。
【課題を解決するための手段】
【０００５】
このような課題に鑑みて、本発明は、以下の構成を具備するものである。
空間を仕切るように閉鎖動作する開閉体と、前記開閉体を閉鎖方向へ案内するガイドレールとを備えた開閉装置において、閉鎖状態の前記開閉体を厚さ方向の一方側から押圧して前記ガイドレールに押し付ける開閉体押圧装置が設けられていることを特徴とする開閉装置。
【発明の効果】
【０００６】
本発明は、以上説明したように構成されているので、閉鎖状態の開閉体の幅方向端部側のばたつきを抑制することができる。
【図面の簡単な説明】
【０００７】
【図１】本発明に係る開閉装置の一例を示す正面図である。
【図２】同開閉装置の(II)-(II)線に沿う断面図であり、（ａ）は離間位置、（ｂ）は押圧位置を示している。
【図３】開閉体押圧装置の要部側面図であり、（ａ）は離間位置、（ｂ）は押圧位置を示している。
【図４】本発明に係る開閉装置の他例を示す正面図である。
【図５】同開閉体押圧装置について概略構造を示す要部側面図である。
【発明を実施するための形態】
【０００８】
本実施の形態では、以下の特徴を開示している。
第一の特徴は、空間を仕切るように閉鎖動作する開閉体と、前記開閉体を閉鎖方向へ案内するガイドレールとを備えた開閉装置において、閉鎖状態の前記開閉体を厚さ方向の一方側から押圧して前記ガイドレールに押し付ける開閉体押圧装置が設けられている（図１〜図５参照）。
この構成によれば、閉鎖状態の開閉体を厚さ方向の一方側から押圧してガイドレールに押し付けることができ、ひいては、開閉体の幅方向端部が、風等により厚さ方向へばたつくのを抑制することができる。
【０００９】
第二の特徴は、生産性に優れた態様として、前記開閉体押圧装置が、前記ガイドレールに設けられている（図１及び図２参照）。
【００１０】
第三の特徴として、動作性の良好な具体的態様を得るために、前記開閉体押圧装置は、閉鎖状態の前記開閉体から厚さ方向へ離れた離間位置と同開閉体を厚さ方向の一方側から押圧した押圧位置との間で移動する押圧部と、前記押圧部を前記押圧位置と前記離間位置との間で移動するように支持する支持部とを具備する（図２参照）。
【００１１】
第四の特徴として、使い勝手を向上するために、前記開閉体押圧装置は、前記押圧部を押圧方向へ移動させるために手動操作される操作部を具備している（図２及び図３参照）。
【００１２】
第五の特徴として、より使い勝手を向上するために、前記開閉体押圧装置は、前記開閉体が閉鎖する際の動作に、前記押圧部の押圧方向への移動を連動させている（図４及び図５参照）。
【００１３】
第六の特徴として、良好な動作性を得るために、前記開閉体押圧装置は、枢支部を支点にした一端側が前記開閉体により閉鎖方向へ押動されることで他端側を開放方向へ回動する回動部材を備え、前記他端側の開放方向への回動により前記押圧部を押圧方向へ移動させる（図４及び図５参照）。
【００１４】
＜第一の実施態様＞
次に、上記特徴を有する具体的な実施態様について、図面に基づいて詳細に説明する。なお、以下の説明において、「開閉体厚さ方向」とは、閉鎖状態の開閉体の厚さ方向を意味する。また、「開閉体幅方向」とは、開閉体の開閉方向と略直交する方向であって、開閉体の厚さ方向ではない方向を意味する。また、「開閉体開閉方向」とは、開閉体が空間を仕切ったり開放したりするためにスライドする方向を意味する。
【００１５】
開閉装置１は、空間を仕切るように下方へ閉鎖動作する開閉体１０と、開閉体１０の幅方向の端部を凹状に囲んで閉鎖方向へ案内する左右のガイドレール２０，２０と、開閉体１０をその開放方向側で収納する収納部３０と、全閉状態の開閉体１０の下端部に対向するように設けられる下枠４０と、閉鎖状態の開閉体１０を厚さ方向の一方側から押圧してガイドレール２０に押し付ける開閉体押圧装置５０とを具備する。
この開閉装置１は、例えば、構造物開口部の窓サッシの屋外側に固定されて窓用シャッター装置を構成し、開閉体１０を上下方向へ動作して窓サッシ内の開口部Ａを開閉する。
【００１６】
開閉体１０は、横長略矩形状の金属板を曲げ加工してなるスラット１１ａを、上下に隣接するスラット１１ａ，１１ａ間で回動するように複数連接することで、開閉体本体１１を構成し、この開閉体本体１１の下側の端部に、下枠４０に当接させるための座板部材１２（水切り又は幅木と呼称される場合もある。）を、開閉体幅方向にわたって接続している。
【００１７】
この開閉体１０の幅方向の端部には、必要に応じて、開閉体厚さ方向へ突出してガイドレール２０内から抜けないように係合する抜止め部材１３（図２参照）が設けられる。
【００１８】
ガイドレール２０は、開閉体１０を開閉方向へ案内する部材であり、開閉体１０の幅方向の両側各々で、収納部３０と下枠４０との間にわたって略鉛直状に設けられる。
各ガイドレール２０は、図２に示すように、開閉体１０を囲むようにして開閉方向へ延設されたレール本体２１と、このレール本体２１を支持するレール支持部材２２とから一体的に構成される。
【００１９】
レール本体２１は、開閉体１０の幅方向端部側を挿入して断面コ字状に囲む部材であり、その内側の面に、開閉体１０の表面と裏面にそれぞれ対向する気密材２１ａを固定している（図２参照）。各気密材２１ａやゴムやエラストマー樹脂等の弾性材料から形成され、開閉体開閉方向へ長尺状に連続している。
【００２０】
レール支持部材２２は、レール本体２１における開閉体厚さ方向の一方側に接続され、窓サッシや建物の躯体等の不動部位に固定される（図２参照）。
このレール支持部材２２には、後述する開閉体押圧装置５０が固定される。なお、他例としては、レール本体２１に開閉体押圧装置５０を固定するようにしてもよい。
【００２１】
また、収納部３０は、収納ケース３１内に、開閉体１０を巻き取ったり繰り出したりする巻取軸（図示せず）を収納している。
収納ケース３１は、横長箱状に形成され、その下端部に、開閉体１０を遊挿する横長の開口３１ａを有する（図１参照）。
また、収納ケース３１内には、必要に応じて、開閉体１０を電動で開閉させるための開閉機や動力伝達機構、制御回路等が設けられる。
【００２２】
下枠４０は、左右のガイドレール２０，２０の下端部間にわたって設けられた長尺状の部材である。
【００２３】
開閉体押圧装置５０は、閉鎖状態の開閉体１０の両側に位置するように、各ガイドレール２０の開口部Ａ側に固定される（図１参照）。
各開閉体押圧装置５０は、閉鎖状態の開閉体１０を厚さ方向の一方側から押圧した押圧位置（図２（ｂ））と同開閉体から厚さ方向へ離れた離間位置（図２（ａ））との間で移動する押圧部５１と、押圧部５１を前記押圧位置と前記離間位置との間で移動するように支持する支持部５２とを具備する。そして、この開閉体押圧装置５０は、開閉体１０の開閉ストロークの略全長にわたる長尺状に構成される。
【００２４】
押圧部５１は、開閉体厚さ方向へスライドする基部５１ａと、この基部５１ａから開閉体厚さ方向の一方へ突出して開閉体１０面に対向する弾性部５１ｂと、基部５１ａから開口部Ａ側へ突出して外部に露出される操作部５１ｃとを備える（図２参照）。
【００２５】
基部５１ａは、金属や硬質合成樹脂等の硬質材料から上下方向へ連続する長尺状に形成され、図示例によれば横断面略コ字状を呈する。この基部５１ａは、開閉体厚さ方向へスライドするように、支持部５２の内側に緩嵌している。
【００２６】
弾性部５１ｂは、ゴムやエラストマー樹脂等の弾性材料から、上下方向へわたる長尺状に形成され、支持部５２の略全長にわたって止着固定されている。この弾性部５１ｂは、図示例によれば、横断面形状が中空略環状であり、上下方向にわたって支持部５２に嵌合している。
【００２７】
操作部５１ｃは、押圧部５１を押圧方向へ移動させるために手動操作される摘み状の部材であり、基部５１ａから開口部Ａ側へ突出して、支持部５２の側壁を貫通している。
【００２８】
支持部５２は、基部５１ａを横断面コ字状に囲んで上下方向へ長尺状に連続している。この支持部５２は、ガイドレール２０に対し、リベット止めやねじ止め、溶接、嵌合等の止着手段によって一体的に固定される。
【００２９】
支持部５２の開口部Ａ側の側面には、操作部５１ｃを貫通するガイド孔５２ａが設けられる。このガイド孔５２ａは、開閉体厚さ方向へ直線的に延設されたガイド部５２ａ１と、このガイド部５２ａ１の開閉体１０面側の端部から下方へ延設された係止部５２ａ２とを有する横向きＬ字状の貫通孔である（図３参照）。
【００３０】
なお、図２中、符号ｘは、サッシ窓における戸体の一部分（例えば、網戸や、ガラス戸の縦框）である。
【００３１】
次に、上記構成の開閉装置１について、その特徴的な作用効果を詳細に説明する。
図２（ａ）に示すように、押圧部５１が、開閉体１０面から離れた離間位置にある状態では、開閉体１０が、開閉体押圧装置５０に接触することなく、上下方向へ開閉動作する。
【００３２】
図２（ｂ）に示すように、開閉体１０の全閉状態において、操作部５１ｃが手動で開閉体１０面側へ押動されると、この動作に伴って、押圧部５１全体が開閉体１０面側へ移動する。すると、押圧部５１の弾性部５１ｂが開閉体１０面に弾性的に当接して、開閉体１０を、ガイドレール２０の一方（図２によれば下側）の気密材２１ａに押し付ける。この押圧状態は、操作部５１ｃがガイド孔５２ａの係止部５２ａ２に係止されることで維持される（図３（ｂ）参照）。
【００３３】
また、押圧部５１を離間位置に戻す際は、操作部５１ｃを、手で持ち上げて係止部５２ａ２から外し、開閉体１０面から離れる方向へ移動すればよい。
なお、前述した作用は、左右の開閉体押圧装置５０，５０についてそれぞれ同様に奏する。
【００３４】
よって、開閉装置１によれば、上記押圧状態において、例えば、開閉体１０が風を繰り返し受けた場合でも、開閉体１０の幅方向端部側が厚さ方向へばたつくのを抑制することができ、ひいては、開閉体１０がガイドレール２０に繰り返し当接して、ばたつき音や振動を発生するのを防ぐとともに、開閉体１０のばたつきに起因する損傷や摩耗を低減することができる。
特にこの開閉装置１によれば、例えば、風の弱い日は、手動操作により開閉体押圧装置５０を上記離間位置にし、風の強い日のみ手動操作により開閉体押圧装置５０を上記押圧位置にする等、使用者が開閉体押圧装置５０の状態を選択的に変化させることができる。
【００３５】
＜第二の実施態様＞
次に、本発明に係る第二の実施態様について説明する。この実施態様の開閉装置は、上記開閉装置１に対し、一部を変更したものであるため、略同様に機能する部分については同一の符号を付け、重複する詳細説明を省略する。
【００３６】
第二の実施態様の開閉装置２は、上記開閉装置１において、開閉体押圧装置５０を開閉体押圧装置５０’に置換したものである（図４及び図５参照）。
【００３７】
開閉体押圧装置５０’は、開閉体１０が閉鎖する際の動作に、押圧部５１の押圧方向への移動を連動させるように構成してある。
詳細に説明すれば、この開閉体押圧装置５０’は、下端側の押動部材５３が押し上げられるのに連動して押圧部５１を開閉体１０面側へスライドさせる押圧ユニット５０ａと、開閉体１０が全閉する際の閉鎖動作に連動して押動部材５３を押し上げる連動ユニット５０ｂとを備える。
【００３８】
押圧ユニット５０ａは、上述した開閉体押圧装置５０から操作部５１ｃを省き、押動部材５３及び運動方向変換部５４を加えた構成とすればよい。
【００３９】
押動部材５３は、上下方向へわたる棒状の部材であり、支持部５２内に所定量上下移動可能に支持される。
【００４０】
運動方向変換部５４は、上下方向へ延設された板バネであり、その下端側を押動部材５３に止着するとともに上端側を支持部５２に固定している。
この運動方向変換部５４における上下方向の中央側は、押圧部５１の基部５１ａに止着されている。
この構成によれば、押動部材５３が上方へ移動すると、運動方向変換部５４（板バネ）が、その上下方向の中央側を、開閉体１０面方向（図５によれば右方向）へ弓形に撓ませ、押圧部５１を開閉体１０面方向へスライドさせる。
【００４１】
連動ユニット５０ｂは、枢支部５５ａを支点にした一端側が閉鎖方向へ押動されることで他端側を開放方向へ回動する回動部材５５と、この回動部材５５の一端側に枢着された受部５６と、同回動部材５５の他端側に枢着された押子５７とを備える。
【００４２】
枢支部５５ａは、図示しないブラケットによって下枠４０上に支持された軸状の部材であり、回動部材５５の中心部に緩挿されている。
【００４３】
回動部材５５は、枢支部５５ａを支点にしてシーソー状に回動するように支持され、その一端側の横向きの長孔に、軸状部材を介して受部５６を枢着し、他端側の横向きの長孔に軸状部材を介して押子５７を枢着している。
【００４４】
受部５６は、その下端側を回動部材５５の一端側に枢着するとともに、上端側を回動部材５５よりも上方へ突出させた部材であり、図示しないブラケットにより上下方向へスライドするように支持されている。
この受部５６の上端部は、全閉した際の開閉体１０下端の凹状部分１２ａに嵌り合って当接するように、開閉体１０下端に対向して位置する。
【００４５】
押子５７は、その下端側を回動部材５５の他端側に枢着するとともに、上端側を回動部材５５よりも上方へ突出させた部材であり、図示しないブラケットにより上下方向へスライドするように支持されている。
【００４６】
次に、開閉体押圧装置５０’を備えた第二の実施態様について、その特徴的な作用効果を詳細に説明する。
開閉体１０が全閉すると、開閉体１０下端の凹状部分１２ａが、受部５６に嵌り合って当接し、受部５６を下方へ押動する。このため、回動部材５５が一端側を下方へ回動させながら他端側を上方へ回動させ、押子５７が上方へスライドして押動部材５３を上方へ押し上げる。
【００４７】
すると、運動方向変換部５４が上下に圧縮されて弓形に撓み、押圧部５１を開閉体１０面方向へ押動する。この後は、上述した開閉装置１と略同様にして、押圧部５１の突端が開閉体１０を弾性的に押圧し、開閉体１０が気密材２１ａに押し付けられる。
【００４８】
また、開閉体１０が開放動作すると、受部５６の上端から開閉体１０が離れるため、押動部材５３が運動方向変換部５４（板バネ）の弾性的な復元力により下方へスライドし押子５７を下方へ押し戻す。このため、回動部材５５が逆方向へ回動するとともに受部５６が上方へスライドして、図５（ａ）に示す初期位置に戻る。
【００４９】
よって、図４及び図５に示す開閉装置２によれば、手動操作せずとも、開閉体１０の開閉動作に応じて、押圧部５１を自動的に出没させることができ、開閉体１０の全閉時には、開閉体１０の幅方向端部のばたつきを抑制することができる。
【００５０】
＜変形例＞
上記実施の形態によれば、開閉体押圧装置５０（５０’）を、開閉体１０の開閉ストロークの略全長にわたるように構成したが、他例としては、この開閉体押圧装置５０（５０’）を前記開閉ストロークの一部分に対応するように設けてもよい。この場合、開閉体押圧装置５０（５０’）は、前記開閉ストロークの略中央部を含むように設けるのが好ましい。
【００５１】
また、上記実施の形態では、基部５１ａを開閉体厚さ方向へスライドさせて開閉体１０に当接するようにしたが、他例としては、基部を回動させて開閉体１０に当接する構成とすることも可能である。
【００５２】
また、上記第一の実施態様では、支持部５２のガイド孔５２ａは、ガイド部５２ａ１の延設方向の一端側のみに係止部５２ａ２を設けたが、他例としては、ガイド部５２ａ１の他端側にも係止部５２ａ２を設けるようにしてもよい。この構成によれば、上記離間位置においても押圧部５１を係止することができる。
また、上記第二の実施態様において、手動で操作される操作部を併設することも可能である。
【００５３】
また、上記実施の形態によれば、開閉体押圧装置５０（５０’）をガイドレール２０の外側に固定したが、他例としては、開閉体押圧装置５０（５０’）を、ガイドレール２０の内部に固定したり、下枠４０やその他の不動部位に固定したりすることも可能である。
【００５４】
また、上記開閉体押圧装置５０’の押圧ユニット５０ａによれば、運動方向変換部５４を板バネとしたが、この運動方向変換部の他例としては、複数のリンク部材により運動方向を変換する機構や、カム斜面を利用して運動方向を変換する機構等とすることが可能である。また、連動ユニット５０ｂについても、図示例以外の機構に置換することが可能である。
【００５５】
また、本発明は上述した実施態様に限定されず、本発明の要旨を変更しない範囲で適宜変更可能である。
【符号の説明】
【００５６】
１，２：開閉装置
１０：開閉体
２０：ガイドレール
３０：収納部
５０，５０’：開閉体押圧装置
５０ａ：押圧ユニット
５０ｂ：連動ユニット
５１：押圧部
５１ａ：基部
５１ｂ：弾性部
５１ｃ：操作部
５２：支持部
５３：押動部材
５４：運動方向変換部
５５：回動部材
５６：受部
５７：押子
【図１】
2020094385.tif 000003
【図２】
2020094385.tif 000004
【図３】
2020094385.tif 000005
【図４】
2020094385.tif 000006
【図５】
2020094385.tif 000007